(57)【特許請求の範囲】
【請求項１】
振動に応じて音を響かせる音響部と、
前記音響部に設けられ、前記音響部で生じる振動における節となる部分に取り付けられる支持部と、
前記支持部によって支持され、前記支持部から延設されるブラケットと、
前記ブラケットに設けられ、入力される音響信号に応じて前記音響部を振動させる加振器と、を備え、
前記加振器は、前記音響部で生じる振動における腹となる位置を加振し、
前記音響部は、板状をなし、平面に設けられた響棒を有し、
前記支持部は、前記響棒に取り付けられることを特徴とする楽器。
【請求項２】
一対の前記支持部を有し、
一対の前記支持部は、２つの前記響棒の各々に取り付けられ、
前記ブラケットは、一対の前記支持部の各々と接続され、２つの前記響棒の間で橋渡し状に設けられることを特徴とする請求項１に記載の楽器。
【請求項３】
２つの前記響棒は、前記音響部の平面に沿って隣り合って配置され、
前記加振器は、隣り合う２つの前記響棒の中間となる位置において前記音響部を加振することを特徴とする請求項２に記載の楽器。
【請求項４】
前記加振器は、前記音響信号に応じて振動する振動部と、前記振動部と前記音響部との間に設けられ前記振動部とともに振動し振動を前記音響部に伝達するキャップ部とを有し、
前記キャップ部は、前記振動部側から前記音響部側に向かうに従って先細りとなる第１テーパ部を有することを特徴とする請求項１乃至請求項３の何れかに記載の楽器。
【請求項５】
前記キャップ部は、前記音響部に接着固定する際に、当該キャップ部を前記音響部側に押圧するための圧締部を有することを特徴とする請求項４に記載の楽器。
【請求項６】
前記支持部は、前記ブラケット側から前記音響部側に向かうに従って先細りとなる第２テーパ部を有することを特徴とする請求項１乃至請求項５の何れかに記載の楽器。
【請求項７】
前記支持部は、複数の前記第２テーパ部を有し、一直線上にない３点以上の支持点において前記音響部と接触することを特徴とする請求項６に記載の楽器。
【請求項８】
振動に応じて音を響かせる音響部を加振する加振装置であって、
前記音響部に設けられ、前記音響部で生じる振動における節となる部分に取り付けられる支持部と、
前記支持部によって支持され、前記支持部から延設されるブラケットと、
前記ブラケットに設けられ、入力される音響信号に応じて前記音響部を振動させる加振器と、を備え、
前記加振器は、前記音響部で生じる振動における腹となる位置を加振し、
前記音響部は、板状をなし、平面に設けられた響棒を有し、
前記支持部は、前記響棒に取り付けられることを特徴とする加振装置。
【発明の詳細な説明】
【技術分野】
【０００１】
本発明は、楽器を加振する加振装置、及び加振器を取り付けた楽器に関するものである。
【背景技術】
【０００２】
従来、楽器の中には、響板等を加振器によって加振して放音するものがある（例えば、特許文献１など）。特許文献１に開示されるエレアコ（エレクトリック・アコースティック・ギター）は、ボディ内に複数の加振器が取り付けられている。エレアコのブリッジに設けたピックアップは、弦の振動を電気信号に変換し、ボディ内の増幅器に出力する。増幅器は、入力した振動を増幅して加振器に出力する。加振器は、増幅器から入力された信号に応じてボディの表板を振動させることで、表板から音を放音させる。
【先行技術文献】
【特許文献】
【０００３】
【特許文献１】特許３７８８３８２号公報
【発明の概要】
【発明が解決しようとする課題】
【０００４】
上記した加振器を備える楽器では、加振器の取り付け位置や取り付け構造の違いによって、振動を音響放射に変換する効率が大きく変動する。このため、最適な状態で取り付けることができる加振装置や、加振器を取り付けた楽器が望まれている。
【０００５】
本願は、上記の課題に鑑み提案されたものであって、加振による振動を音響放射へ変換する変換効率を向上させることができる加振装置、及び楽器を提供することを目的とする。
【課題を解決するための手段】
【０００６】
本願に係る楽器は、振動に応じて音を響かせる音響部と、音響部に設けられ、音響部で生じる振動における節となる部分に取り付けられる支持部と、支持部によって支持され、支持部から延設されるブラケットと、ブラケットに設けられ、入力される音響信号に応じて音響部を振動させる加振器と、を備え、加振器は、音響部で生じる振動における腹となる位置を加振することを特徴とする。
【０００７】
当該楽器では、支持部は、音響部で生じる振動における節となる部分に取り付けられる。響板などの音響部には、例えば、響棒などを取り付けることで、他の部分に比べて剛性が高まった部分が存在する。この部分は、音響部において生じる振動の節となる可能性が高い。また、音響部を振動させる加振器は、振動させていない状態の音響部の特定位置や面を基準として配置され、配置された初期位置に固定され、加振動作の前後や加振動作中にずれないことが好ましい。これは、加振器は、加振動作の前後等に初期位置からずれると、振動を音響放射へ変換する精度や効率が低下するからである。当該楽器の支持部は、音響部において振動の振幅が極めて小さい、あるいは好適には振幅がゼロとなる「節」の位置に取り付けられる。加振器は、ブラケットを介して支持部に支持されることで、加振動作の前後等に位置がずれるのを抑制される。さらに、加振器は、振動の腹となる位置を加振するように設けられる。これにより、加振器は、振動を効率よく音響放射に変換することが可能となる。なお、音響部は、振動の周波数ごとに節となる部分を、予めシミュレーション等で確認することができる。また、音響部には、異なる大きさの周波数の振動が多数存在することが想定される。この場合、腹や節の位置を決定する対象の振動としては、例えば、周波数が低い振動（低音など）を対象とすることで、臨場感のある低音を発生させることが考えられる。あるいは、対象の振動としては、ユーザの好みに合った周波数の振動を対象とすることが考えられる。
【０００８】
また、音響部は、板状をなし、平面に設けられた響棒を有し、支持部は、響棒に取り付けられる。
【０００９】
板状の音響部は、響棒を取り付けた部分の剛性が高まる。このため、響棒を取り付けた部分は、音響部に生じる振動の節となる可能性が高い。そこで、当該楽器では、支持部を、節の位置となる可能性が高い響棒に支持部を取り付けることで、振動の音響放射への変換効率をより確実に高めることが可能となる。
【００１０】
また、本願に係る楽器において、一対の支持部を有し、一対の支持部は、２つの響棒の各々に取り付けられ、ブラケットは、一対の支持部の各々と接続され、２つの響棒の間で橋渡し状に設けられ、加振器は、音響部における２つの響棒の間の位置を加振する構成でもよい。
【００１１】
ここで、木材等で形成される音響部は、経年の変化によって反りが発生する場合がある。この場合、響棒の位置は、音響部の反りに応じて変位する。これにより、加振器は、音響部との相対的な位置、より具体的には音響部と接触する加振位置がずれて振動の音響放射への変換効率が低下する虞がある。これに対し、当該楽器では、ブラケットは、２つの響棒の各々に取り付けた一対の支持部によって橋渡し状に設けられる。このような構成では、音響部の反りに合わせて支持部を変形させることで、加振位置がずれるのを抑制できる。結果として、当該楽器は、長期間使用した場合に、音響放射の変換効率が低下するのを抑制できる。
【００１２】
また、本願に係る楽器において、２つの響棒は、音響部の平面に沿って隣り合って配置され、加振器は、隣り合う２つの響棒の中間となる位置において音響部を加振する構成でもよい。
【００１３】
響棒を取り付けた位置は、剛性が高まることで振動の節となる可能性が高い。このため、隣り合う２つの響棒の中間となる位置は、振動の腹となる可能性が高い。そこで、当該楽器の加振器は、隣り合う響棒の中間位置を加振することで、振動の音響放射への変換効率をより確実に高めることが可能となる。
【００１４】
また、本願に係る楽器において、加振器は、音響信号に応じて振動する振動部と、振動部と音響部との間に設けられ振動部とともに振動し振動を音響部に伝達するキャップ部とを有し、キャップ部は、振動部側から音響部側に向かうに従って先細りとなる第１テーパ部を有する構成でもよい。
【００１５】
加振器の振動部は、例えば、コイルやマグネットなどを備えており、ある程度の大きさを有する。このため、振動部に取り付けるキャップ部も、ある程度の大きさが必要となる。一方で、特定周波数の振動の腹となる位置は、厳密に言えば音響部における一点となる。このため、加振器によって音響部を加振する加振位置は、この一点とすることが理想的である。そこで、当該楽器では、キャップ部に第１テーパ部を有することで、キャップ部と音響部とが接触する加振位置を、振動の腹となる一点にできるだけ絞ることができる。また、キャップ部は、第１テーパ部を有することで、節となる支持部の位置からできるだけ加振位置を遠ざけることができる。例えば、加振位置を、音響部における剛性の高い位置（響棒を設けた位置）から遠ざけることで、音響放射の変換効率を向上させることができる。
【００１６】
また、本願に係る楽器において、キャップ部は、音響部に接着固定する際に、当該キャップ部を音響部側に押圧するための圧締部を有する構成でもよい。
【００１７】
当該楽器では、例えば、キャップ部の第１テーパ部を音響部に接着する場合に、作業者は、手で圧締部を押圧することで、第１テーパ部を音響部に容易且つ確実に固定することができる。
【００１８】
また、本願に係る楽器において、支持部は、ブラケット側から音響部側に向かうに従って先細りとなる第２テーパ部を有する構成でもよい。
【００１９】
加振器は、振動させていない状態の音響部の特定位置や面を基準として固定される。当該楽器の支持部では、例えば、第２テーパ部の先端を音響部に接触させた状態で取り付けることで、支持部を音響部に取り付ける作業における支持部の位置決めを容易に行うことができる。
【００２０】
また、本願に係る楽器において、支持部は、複数の第２テーパ部を有し、一直線上にない３点以上の支持点において音響部と接触する構成でもよい。
【００２１】
支持部は、一直線上にない３点以上の支持点によって音響部と接触し、この３点によって平面が決定され、ブラケットと音響部との距離を一定に保つことが可能となる。
【００２２】
なお、本願における発明は、加振器を有する楽器に限らず、音響部を加振する加振装置としても実施し得るものである。
【発明の効果】
【００２３】
本願に係る楽器及び加振装置によれば、振動を音響放射へ変換する変換効率を向上させることができる。
【図面の簡単な説明】
【００２４】
【図１】実施形態に係るギターの平面図である。
【図２】ボディの裏板の内側部分を示す平面図である。
【図３】加振装置を取り付けた部分の拡大図である。
【図４】加振装置の側面図である。
【図５】図３に示すＡ−Ａ線で切断した断面図である。
【図６】支持部及び響棒を前方側から見た側面図である。
【図７】加振器の断面を模式的に示した図である。
【図８】裏板に反りが発生する前の状態を示す模式図である。
【図９】裏板に上向きの反りが発生した状態を示す模式図である。
【図１０】裏板に下向きの反りが発生した状態を示す模式図である。
【図１１】別例の裏板の内側部分を示す平面図である。
【図１２】別例のギターの平面図である。
【図１３】別例の加振装置の側面図である。
【発明を実施するための形態】
【００２５】
以下、本願の楽器を具体化した一実施形態として、図１に示すギター１０について説明する。図１は、ギター１０の平面図を示している。図２は、ボディ１１の裏板３３の内側部分を示している。ギター１０は、いわゆるアコースティック・ギターであり、ボディ１１と、当該ボディ１１に連結されたネック１３と、ネック１３の先端に取り付けられたヘッド１５とを備えている。
【００２６】
ネック１３は、一方向に延設された棒状をなし、その基端部をボディ１１に固定されている。ネック１３の上には、複数のフレット２１を有する指板２３が取り付けられている。以下の説明では、図１及び図２に示すように、ネック１３の先端側（ヘッド１５側）を前方、ネック１３の基端側（ボディ１１側）を後方、この前後方向に直交しネック１３やボディ１１の表面に略平行な方向を左右方向、前後方向及び左右方向に直交する方向を上下方向と称して説明する。この場合、ネック１３が延設される方向は、前後方向と平行な方向となる。
【００２７】
図１及び図２に示すように、ボディ１１は、表板３１と、裏板３３と、側板３５とを有する中空箱型の共鳴箱として構成されている。ボディ１１は、上下方向に所定の厚みを有しており、前方から後方に向かうに従って左右方向に向かって所定の角度で湾曲したくびれ部分が形成されている。ボディ１１の材料としては、例えば、スプルース、シダー、ローズウッド、マホガニー等の木材を用いることができる。
【００２８】
ネック１３の後端のヒール（図示略）は、ボディ１１の前端部に設けられたネックブロック３７に対して接着又はボルト等によって固定されている。また、本実施形態のギター１０には、６本の弦２５が張設されている。各弦２５は、ネック１３の先端に設けられたヘッド１５と、ボディ１１の表板３１に取り付けられたブリッジ３９との間に張設されている。各弦２５は、ヘッド１５に設けられたペグ１５Ａを回すことで付与される張力が変更され、調律することが可能となっている。
【００２９】
ブリッジ３９には、各弦２５を下方から支持して、ネック１３の指板２３に対する弦高を保持するサドル４１が設けられている。弦２５の振動は、このサドル４１及びサドル４１を支持するブリッジ３９を介してボディ１１に伝達される。ボディ１１の表板３１には、ネック１３の後方となる位置に、ボディ１１の内部空間で共鳴した音を外部に放音するサウンドホール４３が形成されている。
【００３０】
裏板３３は、上下方向から見た場合に、表板３１と略同一形状をなしている。側板３５は、表板３１及び裏板３３の湾曲した外周部分に沿って形成され、表板３１及び裏板３３を上下方向において互いに連結している。裏板３３の後端部には、エンドブロック４５が設けられている。ネックブロック３７及びエンドブロック４５は、表板３１、裏板３３、及び側板３５の各々を互いに強固に固定し、弦２５の張力に対してボディ１１の剛性を高める補強部材として機能する。
【００３１】
図２に示すように、裏板３３の内側面３３Ａには、剥ぎ止め５３と、４つの響棒５５Ａ，５５Ｂ，５５Ｃ，５５Ｄが取り付けられている。剥ぎ止め５３及び響棒５５Ａ〜５５Ｄは、例えば、内側面３３Ａに対して接着によって所定の位置に固定されている。剥ぎ止め５３及び響棒５５Ａ〜５５Ｄを固定する接着材としては、例えば、接着強度が強く音にいい膠を用いることができる。なお、図２に示す剥ぎ止め５３及び響棒５５Ａ〜５５Ｄの形状、本数、位置等は、一例であり、剛性を高める目的や音色を調整する図る目的などに応じて適宜、位置等が変更される。
【００３２】
剥ぎ止め５３は、内側面３３Ａに立設する板状をなし、裏板３３における左右方向の中央部に設けられ、前後方向に沿って内側面３３Ａ上に配設されている。剥ぎ止め５３は、２枚の板を左右方向の中央で接着して構成した裏板３３の接着の剥がれを防止する。４つの響棒５５Ａ〜５５Ｄの各々は、前後方向において所定の間隔を間に設けて配置され、左右方向に沿って内側面３３Ａ上に配設されている。４つの響棒５５Ａ〜５５Ｄのうち、後方側の２本の響棒５５Ｃ，５５Ｄには、加振装置６１が取り付けられている。加振装置６１は、剥ぎ止め５３の左側に取り付けられている。なお、加振装置６１の取り付け位置は、剥ぎ止め５３及び響棒５５Ａ〜５５Ｄの位置等に応じて適宜変更できる。
【００３３】
加振装置６１は、一対の支持部６２，６３と、ブラケット６５と、加振器６７とを有している。図３は、裏板３３の加振装置６１を取り付けた部分の拡大図を示している。図４は、加振装置６１の側面図を示している。図３及び図４に示すように、支持部６２は、前方側の響棒５５Ｃに取り付けられている。また、支持部６３は、後方側の響棒５５Ｄに取り付けられている。なお、本実施形態の支持部６２，６３は、互いに同様の構成となっているため、共通部分については主に支持部６２を用いて説明し、支持部６３の説明を適宜省略する。
【００３４】
支持部６２は、例えば、金属板材を折り曲げ加工して形成されており、前側板６２Ａと、後側板６２Ｂと、前側板６２Ａ及び後側板６２Ｂを連結する上側板６２Ｃとを有している。支持部６２は、左右方向から見た場合に、下方に開口を有する略コ字状をなし、左右方向に沿って延設されている。前側板６２Ａと後側板６２Ｂとの前後方向における距離は、響棒５５Ｃの前後方向の厚みに応じた長さとなっている。
【００３５】
図５は、図３に示すＡ−Ａ線で切断して、支持部６２及び響棒５５Ｃを後側板６２Ｂ側（後方側）から見た図である。図５に示すように、後側板６２Ｂは、１つの支持点Ｐ１のみで裏板３３と点接触している。詳述すると、図３及び図４に示すように、響棒５５Ｃは、上下方向及び左右方向に長い略板状をなしており、下端面を裏板３３の内側面３３Ａに固定した状態で立設している。図５に示すように、後側板６２Ｂは、響棒５５Ｃの後側面に沿うようにして上下方向に延び、左右方向に向かって延設された板状をなしている。後側板６２Ｂは、上側板６２Ｃとの接続部分である上部に左右方向に長い貫通孔７１が形成されている。貫通孔７１は、後側板６２Ｂにおける左右方向の中央部に形成されている。後側板６２Ｂは、貫通孔７１を左右方向の間に挟んで対向する一対の連結部７３によって上側板６２Ｃと連結されている。このため、後側板６２Ｂは、後方側から見た場合に、下方を底部とする略Ｕ字形状をなしている。
【００３６】
後側板６２Ｂには、左右方向の中央部、且つ下端部に接点部７５が形成されている。接点部７５は、後側板６２Ｂの下側の側縁部（Ｕ字形状の底部）から下方に向かって突出し、下方に向かうに従って左右方向の幅を縮径させ先細りとなるテーパ部７５Ａが形成されている。後側板６２Ｂは、支持点Ｐ１において接点部７５の突出した先端のみを内側面３３Ａに点接触させ、他の部分を裏板３３と距離Ｌ１だけ上下方向に離間させた状態で、響棒５５Ｃに固定されている。この支持点Ｐ１は、後述する加振器６７と裏板３３との接触部分の中心である加振位置Ｐ２（図４参照）と左右方向において同一の位置となっている。
【００３７】
図６は、支持部６２及び響棒５５Ｃを前側板６２Ａ側（前方側）から見た図である。図６に示すように、前側板６２Ａは、右側部分に設けられた第１前板７８と、左側部分に設けられた第２前板７９との２つ板部材で構成されている。図６に示すように、第１及び第２前板７８，７９の各々は、左右方向の幅を一定としならが響棒５５Ｃの前側面に沿うようにして上下方向に延びる板状をなしている。第１及び第２前板７８，７９の各々は、前方側から見た場合に、上下方向に長い略長方形をなしている。第１及び第２前板７８，７９の各々には、上下方向に長い楕円形をなす貫通孔７８Ａ，７９Ａがそれぞれ形成されている。第１及び第２前板７８，７９の各々の上端部は、上側板６２Ｃと連結されている。
【００３８】
第１前板７８には、左右方向の中央部、且つ下端部に接点部７８Ｂが形成されている。接点部７８Ｂは、第１前板７８の下部から下方に向かって突出し、下方に向かうに従って左右方向の幅を縮径させ先細りとなるテーパ部７８Ｃが形成されている。同様に、第２前板７９には、左右方向の中央部、且つ下端部に接点部７９Ｂが形成されている。接点部７９Ｂは、第２前板７９の下部から下方に向かって突出し、下方に向かうに従って左右方向の幅を縮径させ先細りとなるテーパ部７９Ｃが形成されている。接点部７８Ｂ，７９Ｂの各々は、下方から上方に向かうに従って後方側へ傾斜している（図４参照）。
【００３９】
第１前板７８は、支持点Ｐ３において接点部７８Ｂの突出した先端のみを内側面３３Ａに点接触させ、他の部分を裏板３３と上下方向に離間させた状態で、響棒５５Ｃに固定されている。同様に、第２前板７９は、支持点Ｐ４において接点部７９Ｂの突出した先端のみを内側面３３Ａに点接触させ、他の部分を裏板３３と上下方向に離間させた状態で、響棒５５Ｃに固定されている。後側板６２Ｂの支持点Ｐ１は、この支持点Ｐ３，Ｐ４を結ぶ直線上には位置していない。従って、支持部６２は、一直線上にない３点によって内側面３３Ａと接触し、この３点によって平面が決定され、裏板３３と上側板６２Ｃの高さＨ１（図４参照）を一定に保っている。
【００４０】
図４に示すように、支持部６２は、前側板６２Ａと後側板６２Ｂとの前後方向の間に響棒５５Ｃを下方から挿入した状態で、前側板６２Ａ及び後側板６２Ｂによって響棒５５Ｃを挟持している。支持部６２は、響棒５５Ｃを挟持した状態で、例えば、接着によって響棒５５Ｃに対して固定されている。
【００４１】
図３及び図４に示すように、支持部６２の上側板６２Ｃは、前側板６２Ａ及び後側板６２Ｂの上端部を互いに連結している。上側板６２Ｃは、平板状をなし、上下方向から見た場合に、左右方向に長い略長方形状をなしている。また、響棒５５Ｃの上端部は、所定の角度をもって丸く湾曲した円弧状をなしている（図４参照）。上側板６２Ｃと響棒５５Ｃの上端との上下方向の間には、所定の隙間７７が形成されている（図４参照）。上側板６２Ｃの左右方向の中央部には、ブラケット６５の前端部６５Ａが固定されている。
【００４２】
ブラケット６５は、平板状の金属部材であり、前後方向に沿って延設されている。ブラケット６５は、支持部６２，６３に比べて剛性が高くなるように形状や材料の選択がなされている。ブラケット６５は、一対の支持部６２，６３に支持されることによって、２つの響棒５５Ｃ，５５Ｄの間で橋渡し状に設けられている。ブラケット６５の左右方向における幅は、前後方向の中央部６５Ｄが他の部分に比べて拡大している。ブラケット６５の前端部６５Ａは、支持部６２の上側板６２Ｃの上に重ねられた状態で、上下方向に挿通された２つのネジ８１及び１つの六角穴付きボルト８２によって上側板６２Ｃに固定されている。ネジ８１及び六角穴付きボルト８２は、上側板６２Ｃに設けられた被螺合部に螺合されている。なお、ブラケット６５を支持部６２に固定する方法はこれに限らず、例えば、ブラケット６５を、六角穴付きボルト８２のみで上側板６２Ｃに固定してもよい。この場合、支持部６２にネジ８１を挿通するだけの穴（被螺合部を設けていない穴）を形成し、２つのネジ８１を、上側板６２Ｃに対するブラケット６５の位置決めのみに用いてもよい。
【００４３】
また、後方側の支持部６３は、前方側の支持部６２と同様の構成をなし、前側板６３Ａと、後側板６３Ｂと、上側板６３Ｃとを有している。支持部６３は、左右方向から見た場合に、下方に開口を有する略コ字状をなし、３つの接点（図５の支持点Ｐ１及び図６の支持点Ｐ３，Ｐ４参照）のみで裏板３３と点接触する構成となっている。支持部６３における支持点Ｐ１に対応する接点も、後述する加振器６７と裏板３３との加振位置Ｐ２（図４参照）と左右方向において同一の位置となっている。
【００４４】
支持部６３は、前側板６３Ａ及び後側板６３Ｂによって前後方向の両側から響棒５５Ｄを挟持して固定されている。支持部６３の上側板６３Ｃは、左右方向の中央部にブラケット６５の後端部６５Ｂが固定されている。ブラケット６５は、支持部６２及び支持部６３によって支持されることで、裏板３３の内側面３３Ａから上方に向かって所定の高さＨ１（図４参照）だけ離間した位置に保持されている。
【００４５】
ブラケット６５の後端部６５Ｂは、支持部６３の上側板６３Ｃの上に重ねられた状態で、１つの六角穴付きボルト８３によって、上側板６３Ｃに固定されている。六角穴付きボルト８３は、上側板６３Ｃに設けられた被螺合部に螺合されている。
【００４６】
また、後端部６５Ｂには、後端から前方に向かって切り欠かれた溝部６５Ｃが形成されている。溝部６５Ｃは、六角穴付きボルト８３の胴部の太さに応じた幅で形成されている。六角穴付きボルト８３は、溝部６５Ｃに胴部を挿入し頭部を係合させている。ブラケット６５は、六角穴付きボルト８３を溝部６５Ｃに挿入した状態で前後方向に沿ってスライド可能となっている。これにより、ブラケット６５は、前後方向の位置を調整した上で、六角穴付きボルト８３を締め付けて支持部６３に固定することが可能となっている。
【００４７】
ブラケット６５の中央部６５Ｄには、加振器６７が取り付けられている。図７は、加振器６７の断面図を模式的に示している。図４及び図７に示すように、加振器６７のヨーク９１は、加振器６７の上部を覆うように形成されている。ヨーク９１は、ブラケット６５の中央部６５Ｄに形成された取り付け穴に、その一部を下方から挿入している。ヨーク９１は、例えば、中央部６５Ｄに対して接着固定されている。また、ヨーク９１は、挿入された状態でネジ８５によってもブラケット６５に固定されている。なお、ブラケット６５と加振器６７との固定方法は、適宜変更可能である。また、加振器６７は、コイルボビン９３にボイスコイル９５が巻回されている。加振器６７の上部には、互いに反発しあう極性を対向させた磁石９７とキャンセル磁石９８とが上下方向で対向して設けられている。ボイスコイル９５は、この２つの磁石９７及びキャンセル磁石９８の間に設けられ磁束が鎖交するように構成されている。磁石９７及びキャンセル磁石９８としては、例えば、ネオジウム磁石を用いることができる。
【００４８】
また、加振器６７のバネ１０１は、ヨーク９１に対してコイルボビン９３を上下方向に沿って振動可能に保持している。これにより、コイルボビン９３は、バネ１０１及びヨーク９１を介してブラケット６５に対して上下方向に振動可能となっている。加振器６７は、ボイスコイル９５に電流が流れることで、コイルボビン９３及びボイスコイル９５が上下方向に振動する。コイルボビン９３の下端部には、キャップ部１０３が取り付けられている。キャップ部１０３は、コイルボビン９３とともに上下方向に振動する。
【００４９】
キャップ部１０３は、上方から下方に向かって縮径する略円錐形状をなしている。キャップ部１０３には、上方から下方に向かうに従って先細りするテーパ部１０４が形成されている。キャップ部１０３の下端には、円板形状をなす先端部１０３Ａが形成されている。先端部１０３Ａの下面は、裏板３３の内側面３３Ａに当接した状態で固定されている。先端部１０３Ａは、例えば、接着によって内側面３３Ａに固定されている。先端部１０３Ａの円形をなす下面の中心は、上記した加振位置Ｐ２となる（図４参照）。
【００５０】
また、図１に示すように、側板３５の後方側部分には、外部音源と接続するための入力部４７が設けられている。入力部４７から入力された音響信号は、ボディ１１内の増幅部４９によって増幅され、音響ケーブル１０５（図２参照）を介して加振装置６１の加振器６７に入力される。加振器６７は、音響信号に応じた電流をボイスコイル９５（図３参照）に入力する。コイルボビン９３及びキャップ部１０３は、ボイスコイル９５に電流が入力されることで上下方向に往復運動して振動する。裏板３３は、キャップ部１０３とともに振動し、加振器６７の振動を音響放射に変換する。
【００５１】
ここで、補強部材として剥ぎ止め５３及び響棒５５Ａ〜５５Ｄを取り付けることで、裏板３３における響棒５５Ａ等を設けた部分は、他の部分に比べて剛性が高まることとなる。このため、例えば、図４に示す響棒５５Ｃと裏板３３との接続部分は、裏板３３に生じる振動の節となる可能性が高い。支持部６２，６３は、この節となる響棒５５Ｃ，５５Ｄの各々に取り付けられている。
【００５２】
一方で、剥ぎ止め５３及び響棒５５Ａ〜５５Ｄからより離れた位置は、剛性が低下することで振動の腹となる可能性が高い。そこで、本実施形態の加振器６７は、響棒５５Ｃ，５５Ｄの前後方向の中間位置が加振位置Ｐ２となるように設置されている。この場合、響棒５５Ｃと加振位置Ｐ２との距離Ｌ２は、例えば、対象となる振動の周期の１／４の奇数倍、即ち、腹となる位置に対応している。また、裏板３３の腹の位置は、予めシミュレーションを実施し、実際の音響放射を解析等することで最適な位置を設定できる。この場合、上記した距離Ｌ２を、より最適な距離に調整してもよい。このような構成の加振器６７では、振動し難い節となる位置に設けた支持部６２，６３によって支持され、振動させるべき腹となる位置を加振位置Ｐ２とすることで、振動を効率よく音響放射に変換することが可能となっている。
【００５３】
また、キャップ部１０３には、前後方向の各々の外周面から外側に向かって延設される圧締部１０３Ｂが形成されている。一対の圧締部１０３Ｂは、板状に形成されている。圧締部１０３Ｂの上面には、前後方向及び左右方向に沿った平面が形成されている。また、図３に示すように、ブラケット６５には、圧締部１０３Ｂの位置や大きさに合わせて貫通孔６５Ｅが形成されている。これにより、例えば、ギター１０の組み立て工程で加振器６７を裏板３３に接着する際、作業者は、貫通孔６５Ｅから指や器具を入れ、２つの圧締部１０３Ｂを上方から裏板３３側へ圧締することで、先端部１０３Ａを内側面３３Ａに強固に固着させることができる。
【００５４】
因みに、上記実施形態において裏板３３は、音響部の一例である。ボイスコイル９５及びコイルボビン９３は、振動部の一例である。テーパ部１０４は、第１テーパ部の一例である。テーパ部７５Ａ，７８Ｃ，７９Ｃは、第２テーパ部の一例である。
【００５５】
以上、上記した実施形態によれば、以下の効果を奏する。
＜効果１＞加振装置６１の一対の支持部６２，６３の各々は、裏板３３で生じる振動の節となる可能性が高い響棒５５Ｃ，５５Ｄに取り付けられている。加振装置６１の加振器６７は、ブラケット６５を介して支持部６２，６３に支持されることで、加振動作の前後等に位置がずれるのを抑制される。さらに、加振器６７は、振動の腹となる位置を加振位置Ｐ２として設定されている（図４参照）。これにより、加振器６７は、振動を効率よく音響放射に変換することが可能となっている。
【００５６】
＜効果２＞また、支持部６２，６３の各々は、裏板３３の剛性を高めるための響棒５５Ｃ，５５Ｄに取り付けられている。裏板３３における響棒５５Ｃ，５５Ｄを設けた部分は、剛性が高められるとともに、振動の節となる可能性が高い。このため、本実施形態の加振装置６１では、支持部６２，６３を響棒５５Ｃ，５５Ｄに取り付けることで、振動の音響放射への変換効率をより確実に高めることが可能となっている。
【００５７】
＜効果３＞また、ブラケット６５は、一対の支持部６２，６３によって支持され、２つの響棒５５Ｃ，５５Ｄの間で橋渡し状に設けられている。加振器６７は、キャップ部１０３の先端部１０３Ａを、加振位置Ｐ２にて裏板３３に接触させている。これにより、仮に、経年の変化によって裏板３３に図４における下向き又は上向きの反りが発生したとしても、支持部６２，６３は、響棒５５Ｃ，５５Ｄとともに変位することとなる。
【００５８】
図８は、本実施形態のブラケット６５、支持部６２及び裏板３３等を模式的に示しており、裏板３３に反りが発生していない状態を示している。図９は、上方に向かって裏板３３に反りが発生した状態を示している。図１０は、下方に向かって裏板３３に反りが発生した状態を示している。なお、図８〜図１０は、図面が煩雑となるのを避けるため、加振器６７の図示を省略している。
【００５９】
本実施形態のブラケット６５の剛性は、支持部６２，６３に比べて高くなっている。従って、図９，図１０に示すように、仮に、裏板３３に反りが発生すると、支持部６２，６３は、反りに合わせて湾曲することとなる。一方で、剛性を高めたブラケット６５は、湾曲し易い支持部６２，６３によって支持され、反りが発生する前の図８と同様に水平な状態を保ったままとなる。その結果、加振位置Ｐ２は、支持部６２，６３間の距離をＬ５とした場合、支持部６３から（Ｌ５／２）の距離、即ち、距離Ｌ２の距離で維持される。加振位置Ｐ２は、常に変形する裏板３３の頂点（変曲点）の位置となる。従って、本実施形態のギター１０では、裏板３３の反りに合わせて支持部６２，６３を変形させることで、加振位置Ｐ２がずれるのを抑制できる。結果として、本実施形態のギター１０は、長期間使用した場合に、音響放射の変換効率が低下するのを抑制できる。
【００６０】
＜効果４＞また、加振装置６１は、前後方向で隣り合う響棒５５Ｃ，５５Ｄに固定され、当該響棒５５Ｃ，５５Ｄの前後方向における中間位置を加振位置Ｐ２として設定されている。隣り合い且つ振動の節となる可能性が高い２つの響棒５５Ｃ，５５Ｄの中間位置は、振動の腹となる可能性が高い。このため、当該ギター１０では、隣り合う響棒５５Ｃ，５５Ｄの中間位置を加振することで、振動の音響放射への変換効率をより確実に高めることが可能となる。
【００６１】
＜効果５＞また、加振装置６１は、外部から入力される音響信号に応じた電流をボイスコイル９５に入力することで、コイルボビン９３及びキャップ部１０３を上下方向に振動させる。キャップ部１０３には、上方から下方に向かうに従って先細りするテーパ部１０４（第１テーパ部の一例）が形成されている。本実施形態の加振装置６１では、キャップ部１０３にテーパ部１０４を有することで、キャップ部１０３と裏板３３とが接触する加振位置Ｐ２を、振動の腹となる一点にできるだけ絞ることができる。
【００６２】
また、裏板３３は、響棒５５Ｃ，５５Ｄを設けた剛性の高い位置から離れれば、剛性が低下し振動し易くなる。キャップ部１０３は、テーパ部１０４を有することで、剛性の高い支持部６２，６３の位置から加振位置Ｐ２をできるだけ前後方向に沿って遠ざけることができる。これにより、音響放射の変換効率を向上させることができる。
【００６３】
＜効果６＞また、キャップ部１０３には、前後方向の各々の外周面から外側に向かって延設される圧締部１０３Ｂが形成されている。また、ブラケット６５には、圧締部１０３Ｂの位置や大きさに合わせて貫通孔６５Ｅが形成されている。これにより、加振器６７を裏板３３に接着する際、ギター１０の組み立てを行う作業者は、貫通孔６５Ｅから指や器具を入れ、２つの圧締部１０３Ｂを上方から裏板３３側へ圧締することで、先端部１０３Ａを内側面３３Ａに強固に固着させることができる。そして、加振器６７は、上下方向に振動する際に、キャップ部１０３によって裏板３３を下方に押す動作だけでなく、上方に向かって引く動作を良好に実施できる。その結果、加振器６７は、振動を裏板３３に効率よく伝達することができる。
【００６４】
＜効果７＞支持部６２は、先細りとなるテーパ部７５Ａ，７８Ｃ，７９Ｃ（第２テーパ部の一例）が形成されている（図５参照）。後側板６２Ｂは、支持点Ｐ１において接点部７５の突出した先端のみを内側面３３Ａに点接触させ、他の部分を裏板３３と距離Ｌ１だけ上下方向に離間させた状態で、響棒５５Ｃに固定されている。前側板６２Ａは、支持点Ｐ３，Ｐ４において内側面３３Ａと点接触し、他の部分を裏板３３と上下方向に離間させた状態で、響棒５５Ｃに固定されている。従って、支持部６２は、３つの接点（支持点Ｐ１，Ｐ３，Ｐ４）において裏板３３と接触している。また、後方側の支持部６３は、前方側の支持部６２と同様に、テーパ部（図示略）を有し、３点で裏板３３と接触している。これにより、本実施形態の支持部６２，６３では、テーパ部７５Ａ，７８Ｃ，７９Ｃを裏板３３に接触させた状態で取り付けることで、支持部６２，６３の響棒５５Ｃ，５５Ｄへの取り付け作業における位置決めを容易に行うことができる。また、支持部６２，６３は、一直線上にない３点によって内側面３３Ａと接触し、この３点によって平面が決定され、裏板３３と上側板６２Ｃ，６３Ｃの高さＨ１（図４参照）を一定に保つことが可能となる。
【００６５】
＜効果８＞一対の支持部６２，６３は、響棒５５Ｃ，５５Ｄの各々を挟持した状態で固定されている。このような構成では、ギター１０のボディ１１に対して特殊な加工等を施すことなく、後からギター１０に加振装置６１を取り付けることが可能となる。具体的には、ユーザは、サウンドホール４３から加振装置６１を挿入して所望の響棒５５Ａ〜５５Ｄに加振装置６１を取り付けることが可能となる。
【００６６】
尚、本発明は上記実施形態に限定されるものではなく、本発明の趣旨を逸脱しない範囲内での種々の改良、変更が可能であることは言うまでもない。
例えば、上記実施形態では、ギター１０は、１つの加振装置６１を備える構成であったが、複数の加振装置６１を備える構成でもよい。なお、以下の説明では、上記実施形態と同様の構成については、同一符号を付し、その説明を適宜省略する。図１１は、別例の裏板３３の内側面３３Ａを示している。例えば、図１１に示すように、ギター１０は、３つの加振装置６１Ａ，６１Ｂ，６１Ｃを備えてもよい。これらの３つの加振装置６１Ａ〜６１Ｃは、例えば、裏板３３に生じる振動のうち、異なる大きさの周波数（高音、中音、低音など）の振動の腹となる位置にそれぞれ設けられている。これにより、加振装置６１Ａ〜６１Ｃは、各周波数に応じて音を裏板３３から放音することができる。
【００６７】
また、上記実施形態の加振装置６１を取り付けた位置は、一例であり、適宜変更できる。例えば、図１１に示す加振装置６１Ａの支持部６２，６３は、響棒５５Ｃを前後方向の間に挟んで隣り合う響棒５５Ｂ，５５Ｄにそれぞれ取り付けられている。また、裏板３３は、響棒５５Ａ〜５５Ｄを取り付けた部分と同様に、ネックブロック３７やエンドブロック４５を取り付けた部分の剛性が高くなる。従って、ネックブロック３７やエンドブロック４５を取り付けた部分は、振動の節となる可能性が高い。例えば、加振装置６１Ｂは、エンドブロック４５に取り付けられている。加振装置６１Ｂは、支持部１０９によってエンドブロック４５の左右方向から側面を挟持し、エンドブロック４５のみによって支持されている。
【００６８】
また、例えば、加振装置６１Ｃは、ネックブロック３７と響棒５５Ａに取り付けられている。加振装置６１Ｃは、ネックブロック３７を左右方向から挟持する支持部１１０と、響棒５５Ａを挟持する支持部６３とで支持されている。なお、ネックブロック３７やエンドブロック４５は、支持部１０９，１１０を取り付けるための突起等を有する構成でもよい。また、加振装置６１Ｃは、例えば、ネックブロック３７及び響棒５５Ａの前後方向で対向する側面の各々に対して、つっかえ棒として機能するようにブラケット６５を配置し、当該ブラケット６５に加振器６７を取り付けた構成でもよい。この場合、支持部６３，１１０を用いなくともよい。また、加振装置６１を取り付ける部材は、響棒５５Ａ〜５５Ｄに限らず、剥ぎ止め５３でもよい。
【００６９】
また、複数の加振装置６１Ａ〜６１Ｃは、ブラケット６５から加振器６７を取り外した状態でもよい。この場合、ユーザは、予め取り付けられた複数の加振装置６１Ａ〜６１Ｃのいずれかを選択し、後から加振器６７を取り付けることで、好みの音が放音される加振装置６１Ａ〜６１Ｃを選択的に使用することができる。
【００７０】
また、加振装置６１を、ボディ１１の内側に限らず、外側に取り付けてもよい。例えば、図１２に示す加振装置６１Ｄは、表板３１の表に取り付けられている。表板３１は、側板３５を取り付けた部分の剛性が高くなり振動の節となる可能性が高い。加振装置６１Ｄは、Ｌ字形状に折れ曲がった板状の支持部１２１，１２３を有する。支持部１２１，１２３は、左右方向における側板３５の外側に配置され、左右方向の両側からボディ１１を挟み込むことで加振装置６１Ｄをボディ１１に対して固定している。このような構成でも上記実施形態と同様に、支持部１２１，１２３を振動の節となる位置に配置し、加振器６７を腹となる位置に配置することができる。
【００７１】
また、上記実施形態の支持部６２，６３の構成は一例であり、適宜変更可能である。例えば、図１３に示す加振装置６１Ｅは、響棒５５Ｄに埋設されたナット１１１を有する。ナット１１１は、例えば、鬼目ナット（登録商標）等の埋設ナットである。ナット１１１は、例えば、外周面に設けられた爪を響棒５５Ｄに係合させ、響棒５５Ｄ内に固定されている。六角穴付きボルト８３は、ナット１１１に螺合されている。また、後端部６５Ｂとナット１１１との上下方向の間には、バネ１１３が設けられている。バネ１１３は、上下方向に向かって弾性変形する。これにより、裏板３３の振動は、バネ１１３によってその一部が吸収され、響棒５５Ｄからブラケット６５にダイレクトに伝達されない。その結果、振動による加振位置Ｐ２の位置ずれを抑制することができる。なお、この構成では、ナット１１１は、本願における支持部の一例である。
【００７２】
また、本願における楽器は、ギター１０に限らず、他の弦楽器（例えば、バイオリン）でもよく、ピアノ、管楽器、打楽器等でもよい。例えば、上記実施形態の加振装置６１を、ピアノの響板の響棒に取り付けて響板を振動させてもよい。また、加振装置６１を、トランペットの支柱に取り付けてベルを振動させてもよい。また、加振装置６１を、太鼓などの膜鳴楽器のシェルに取り付けて膜を振動させてもよい。
また、ギター１０は、エレクトリック・アコースティック・ギターでもよい。この場合、ギター１０は、例えば、弦２５の振動をピックアップによって電気信号に変換したものを加振装置６１に入力して振動させる構成でもよい。
【００７３】
また、上記実施形態における各部材の材料、形状等は、一例であり、適宜変更可能である。例えば、支持部６２，６３及びブラケット６５の材料は、金属に限らず、プラスチックでもよい。また、例えば、ブラケット６５は、金属板の一部に剛性を高めるためのリブを備えてもよい。上側板６２Ｃと響棒５５Ｃの間、及び上側板６３Ｃと響棒５５Ｄの間の隙間７７は、なくともよい。
【符号の説明】
【００７４】
１０  楽器、３３  裏板（音響部）、６１、６１Ａ〜６１Ｅ  加振装置、６２，６３，１０９，１１０，１２１，１２３  支持部、６５  ブラケット、６７  加振器、５１  響棒、５５Ａ〜５５Ｄ  響棒、７５Ａ  テーパ部（第２テーパ部）、９３  コイルボビン（振動部）、９５  ボイスコイル（振動部）、１０３  キャップ部、１０３Ｂ  圧締部、１０４  テーパ部（第１テーパ部）。
【図１】
0006524927.tif 000002
【図２】
0006524927.tif 000003
【図３】
0006524927.tif 000004
【図４】
0006524927.tif 000005
【図５】
0006524927.tif 000006
【図６】
0006524927.tif 000007
【図７】
0006524927.tif 000008
【図８】
0006524927.tif 000009
【図９】
0006524927.tif 000010
【図１０】
0006524927.tif 000011
【図１１】
0006524927.tif 000012
【図１２】
0006524927.tif 000013
【図１３】
0006524927.tif 000014